(57)【要約】【課題】  物品の環境状況を制御できて物品の劣化防止を図ることができるようにする。【解決手段】  無線タグ１はＩＣチップ２とアンテナ３と温度センサ４とを有して構成されている。前記ＩＣチップ２の記憶部には、無線タグ取付対象である物品の識別情報や環境条件が予め書き込まれている。この無線タグ１は物品に貼り付けられている。読取装置６は、アンテナ７と、ＩＣチップ８とを備えて構成されている。読取装置６は、無線タグ１から転送された情報をデコーダ部８ａにてデコードして、デコードした結果を判別部８ｂにて判別し、食品の識別情報や環境条件を環境制御装置１０に有線にて転送する。環境制御装置１０は、前記読取装置６から与えられた情報に応じて、環境制御機器である冷却装置のコンプレッサ用のモータ１２ａをインバータ回路１３を介して制御する。【選択図】  図１
2005096963.tif 000002
【特許請求の範囲】
【請求項１】
物品に対する環境を制御する環境制御機器と、
前記物品と関連付けられ当該物品の物品識別情報が記憶可能な記憶部を備え該物品識別情報を無線通信により送信する無線タグと、
この無線タグに設けられて物品の環境を検知する環境検知手段と、
前記無線タグから送信された該無線タグ内の物品識別情報を読取る読取手段と、
前記物品識別情報に対応した環境条件を記憶可能な環境条件記憶手段と、
前記読取手段にて読取った物品識別情報に対応した前記環境条件を読み出し、この環境条件と前記環境検知手段による環境検知結果とに基づいて前記環境制御機器を制御する制御手段と
を備えてなる物品の環境最適化システム。
【請求項２】
環境検知手段は、温度により色が変化する示温部材を備えた温度検知手段であり、この示温部材の色によって温度を検知するようになっていることを特徴とする請求項１記載の環境最適化システム。
【請求項３】
無線タグは読取手段からの電波により電源を得るものであり、
環境検知手段による環境検知は無線タグに対する読み取り時に行うようになっていることを特徴とする請求項１記載の物品の環境最適化システム。
【請求項４】
環境検知手段による検知結果は、検知した日時情報と共に記憶部に記憶させるようになっていることを特徴とする請求項１記載の物品の環境最適化システム。
【請求項５】
環境条件記憶手段は無線タグの記憶部に含まれていることを特徴とする請求項１記載の物品の環境最適化システム。
【請求項６】
環境検知手段は温度検知手段であって、環境条件情報は保存温度情報であり、
制御手段は、物品が複数ある場合には、保存温度の最大値を超えないように制御することを特徴とする請求項１記載の物品の環境最適化システム。
【発明の詳細な説明】
【技術分野】
【０００１】
本発明は、内部に記憶した物品識別情報を無線通信により送信する無線タグを備えて物品の環境を制御する物品の環境最適化システムに関する。
【背景技術】
【０００２】
従来より、食品等の物品に、該物品の識別情報を記憶した無線タグを取付け、この無線タグと無線通信する読取装置により物品の識別情報を得て、該物品の識別を行っていた。また、食品を流通させる過程で、保冷車等で移送したり、保冷倉庫に貯蔵したりすることがある。これに考慮して、無線タグに温度センサを設けて、温度の履歴を逐次無線タグの記憶部に記憶させ、また読取装置に送信して、温度履歴を確認することが行われている。
【特許文献１】特開２００２−３５８５９号公報
【発明の開示】
【発明が解決しようとする課題】
【０００３】
ところが上記従来においては、物品の温度履歴を把握できるものの、物品そのものを温度状況つまり環境状況を制御するものではなく物品の劣化防止が困難であった。
従って、本発明の目的は、物品の環境状況を制御できて物品の劣化防止を図ることができる物品の環境最適化システムを提供するにある。
【課題を解決するための手段】
【０００４】
請求項１の発明は、物品に対する環境を制御する環境制御機器と、
前記物品と関連付けられ当該物品の物品識別情報が記憶可能な記憶部を備え該物品識別情報を無線通信により送信する無線タグと、
この無線タグに設けられて物品の環境を検知する環境検知手段と、
前記無線タグから送信された該無線タグ内の物品識別情報を読取る読取手段と、
前記物品識別情報に対応した環境条件を記憶可能な環境条件記憶手段と、
前記読取手段にて読取った物品識別情報に対応した前記環境条件を読み出し、この環境条件と前記環境検知手段による環境検知結果とに基づいて前記環境制御機器を制御する制御手段と
を備えてなる物品の環境最適化システムである。
【発明の効果】
【０００５】
読取手段により無線タグ内の物品識別情報が読取られる。この物品識別情報に対応した温度条件や湿度条件などの環境条件が環境条件記憶部から読み出され、制御手段は、この環境条件と環境検知結果に基づいて保冷車や保冷倉庫における保冷装置あるいは冷蔵庫の冷凍サイクルなどの環境制御機器を制御する。従って、物品に最適の環境を提供でき、物品の劣化防止を図ることができる。
【発明を実施するための最良の形態】
【０００６】
以下、本発明の第１の実施例について図１ないし図５を参照して説明する。まず、図１において、無線タグ１はＩＣチップ２と、アンテナ３と、環境検知手段としての温度センサ４を有し、これらをフィルム１ａ（図２参照）にてパッケージして構成されている。前記ＩＣチップ２は、図示しないが記憶部及び発電部並びに通信部などを備えて構成されており、記憶部には、無線タグ取付対象である物品例えば食品の識別情報や、物品名、製造時期、製造番号、環境条件が記憶可能であり、これらの情報及び事項が予め書き込まれている。この記憶部は環境条件記憶手段も兼用している（含んでいる）。この環境条件としては、例えば保存温度である。この無線タグ１は食品を梱包した箱体（物品）５（図３参照）に貼り付けられている。
【０００７】
読取手段たる読取装置６は、アンテナ７と、ＩＣチップ８とを備えて構成されており、ＩＣチップ８にはＣＰＵや記憶部などを備えているが、機能的にはデコーダ部８ａ及び判別部８ｂが含まれている。この読取装置６は例えば保冷車９の保冷室９ａ（図４参照）に設けられる。この読取装置６は、前記無線タグ１に電波を出して通信を行うものであり、この場合、無線タグ１は受信した電波に基づいて発電して電源とし、記憶部の情報を無線通信により読取装置６に転送する。
【０００８】
読取装置６は、無線タグ１から転送された情報をデコーダ部８ａにてデコードして、デコードした結果を判別部８ｂにて判別し、食品の識別情報や、物品名、製造時期、製造番号、環境条件を環境制御装置１０に例えば有線にて転送する。
制御手段たる環境制御装置１０は前記保冷車９に搭載されており、これはＣＰＵや、ＲＯＭ、ＲＡＭなどを有して構成されており、前記読取装置６から与えられた情報に応じて、環境制御機器である冷却装置１１のコンプレッサ１２（図４参照）用のモータ１２ａ（図１）をインバータ回路１３を介して制御する。この冷却装置１１は、コンプレッサや、凝縮器１４や図示しない冷却器（蒸発器）を備えると共に、前記コンプレッサ１２及びモータ１２ａや該モータ１２の駆動周波数可変のためのインバータ回路１３や送風ファンなどを備えて構成されている。前記駆動周波数を増減させることによりモータ１２ａの回転数が増減して冷却能力が増減する。
【０００９】
上記構成の作用について説明する。まず、無線タグ１に食品の識別情報、物品名、製造時期、製造番号、環境条件を図示しない書き込み装置により書き込む。この場合、環境条件は、保存温度条件であり、これは保存に最適な温度と、許容最高温度である。この無線タグ１を食品が梱包された箱体５に取り付ける。この箱体５は保冷車９の保冷室９ａに収納されて搬送される。このとき、読取装置６は無線タグに情報を読取るべく電波を出力する。
【００１０】
無線タグ１はこの電波に基づいて既述したように電源を得て、温度センサ４により温度を検知する。そして、この温度検知結果と、食品の識別情報、物品名、製造時期、製造番号、環境条件（保存温度条件）を送信し、その送信情報が読取装置６によりが読取られる。そして、読取装置６から、これらの読取り情報が、環境制御装置１０に転送される。
環境制御装置１０は、箱体５が一個であるか、もしくは箱体５が複数であっても中身の食品が同じ温度条件であるかを判断し、その何れかであるときには、温度検知結果を最適な温度に近づけるように制御する。つまり、温度検知結果が最適な温度より高いときにはモータ１２ａの駆動周波数を上げるようにし、温度検知結果が最適な温度より低いときにはモータ１２ａの駆動周波数を下げるように制御する。これにより食品の温度状態の最適化が図れる。
【００１１】
また、環境制御装置１０は、箱体５が複数であって中身の食品が異なる保存温度条件であるときには、次のように制御する。
【００１２】
【表１】
2005096963.tif 000003
箱体５が例えば５個あって（図５に符号５ａ〜５ｅにて示す）、中身の食品の温度条件が表１に示すように異なる（同じものもある）。このようなときには、環境制御装置１０は、最適な温度を平均化し、その平均温度となるように制御する。なお且つ、この場合、許容最高温度のうち最も高温度である「１５℃」を超えないように制御する。これにより食品の温度状態の最適化が図れる。
【００１３】
このように本実施例によれば、物品に無線タグ１を取り付け、この無線タグ１により物品の識別情報を認識すると共に、この物品に応じた環境条件この場合温度条件を読み出し、環境制御装置１０がこの温度条件となるように冷却装置１１を制御するから、物品（食品）に最適の温度環境を提供できるものである。
また、無線タグ１は読取装置６からの電波により電源を得る構成であるから、無線タグ１に専用の電池を設けずに済み、半永久的に使用できる。また温度センサによる温度検知は無線タグ１に対する読み込み時に行うから、電源が確保できるときに行うことができ、無駄な検知を行わずに済む。
【００１４】
さら、環境条件記憶手段が無線タグ１の記憶部に含まれているので、つまり、無線タグ１は環境条件である温度条件を記憶しているから、物品個々に温度条件を読み取ることができる。なお、この温度条件は、環境制御装置１０の記憶手段（例えばＲＯＭや不揮発性メモリ）にて、物品の識別情報と対応させて記憶させても良い。
また、読取装置６は書き込み機能を備えても良く、この場合、温度検知結果を、その検知した日時の情報と共に無線タグ１に書き込む（記憶させる）ようにしても良い。
【００１５】
図６は本発明の第２の実施例を示しており、この実施例においては、環境検知手段が、温度により色が変化する示温部材を備えた温度検知手段２１から構成されており、この温度検知手段２１を無線タグ１に取り付けている。この示温部材の色を例えばＣＣＤカメラなどの色識別装置によって識別して温度を検知し、その検知結果を制御手段に転送する構成としても良い。
【００１６】
環境検知手段としては、湿度検知手段でも良い。また、環境制御機器としては、冷蔵庫の冷凍サイクルなどでも良い。さらに、読取手段は読み取り及び書き込み機能を備えたリーダライタでも良い。また、記憶部や環境条件記憶部には、無線タグ製造後、一般ユーザーにおいて、情報などを記憶させるようにしても良い。
【図面の簡単な説明】
【００１７】
【図１】本発明の第１の実施例を示す物品の環境最適化システムの全体構成のブロック図
【図２】無線タグの平面図
【図３】無線タグを箱体に取り付けた斜視図
【図４】保冷車の透視斜視図
【図５】保冷室内部に複数の物品が収容されている状態の概念図
【図６】本発明の第２の実施例に関し、示温部材を備えた温度検知手段を取り付けた無線タグの斜視図
【符号の説明】
【００１８】
図面中、１は無線タグ、２はＩＣチップ（記憶部、環境条件記憶手段）、４は温度センサ（環境検知手段）、５は物品、６は読取装置（読取手段）、９は保冷車、９ａは保冷室、１０は環境制御装置（制御手段）、１１は冷却装置（環境制御機器）、２１は温度検知手段を示す。
【図１】
2005096963.tif 000004
【図２】
2005096963.tif 000005
【図３】
2005096963.tif 000006
【図４】
2005096963.tif 000007
【図５】
2005096963.tif 000008
【図６】
2005096963.tif 000009